(57)【要約】      （修正有）【課題】感知器のカバーを本体ケースから外した状態で感知器を逆さにしても煙感知部としての暗箱を構成するカバー（蓋）が自重で落下しないように暗箱本体（基台）と蓋とを結合可能な火災感知器を提供する。【解決手段】本体ケース１１とその上側を覆うカバー部材からなる筐体内に、回路基板１３および該回路基板に結合される第１暗箱構成部材と該第１暗箱構成部材と結合されて外部からラビリンス構造の内側へ直接光が入らないようにする第２暗箱構成部材とからなる暗箱が収納され、第１暗箱構成部材にラビリンス構造を構成する複数の遮光壁４１が設けられ、複数の遮光壁のうち少なくとも１つの先端部に外向きの爪を有する係止片４２ａ，４２ｂが形成され、第２暗箱構成部材の係止片が形成されている遮光壁に対応する部位に、係止片の先端の爪が係合可能な係合穴１６ｄが形成される。【選択図】図３
2018088200.tif 000002
【特許請求の範囲】
【請求項１】
本体ケースと該本体ケースの上側を覆うカバー部材とからなる筐体の内部に、遮光壁からなるラビリンス構造を含む検煙領域および該検煙領域へ投光する発光素子と前記検煙領域で散乱された光を受光する受光素子を有する暗箱を備えた感知部と、該感知部からの信号に基づいて火災の発生を検出する電子回路が実装された回路基板と、が収納されてなる火災感知器において、
前記暗箱は、前記回路基板に結合される第１暗箱構成部材と、該第１暗箱構成部材と結合されて外部から前記ラビリンス構造の内側へ直接光が入らないようにする第２暗箱構成部材とを備え、
前記第１暗箱構成部材に、前記ラビリンス構造を構成する複数の遮光壁が設けられ、
前記複数の遮光壁のうち少なくとも１つの遮光壁の先端部に、外向きの爪を有する係止片が形成され、
前記第２暗箱構成部材の前記係止片が形成されている遮光壁に対応する部位に、前記係止片の先端の爪が係合可能な係合穴が形成され、
前記係止片の先端の爪と前記係合穴との係合により、前記第１暗箱構成部材と前記第２暗箱構成部材とが結合されるように構成されていることを特徴とする火災感知器。
【請求項２】
前記複数の遮光壁のうち互いに対向する２つ遮光壁の先端部に、各々外向きの爪を有する係止片がそれぞれ形成されていることを特徴とする請求項１に記載の火災感知器。
【請求項３】
前記係止片が形成されている遮光壁の厚みは、前記係止片が形成されていない遮光壁の厚みよりも薄くなるように設定されていることを特徴とする請求項１または２に記載の火災感知器。
【請求項４】
前記係止片が形成されている遮光壁の側面に高さ方向に沿った凹部が形成され、該凹部の両側にそれぞれリブが形成され、前記凹部の形成箇所の壁の厚みは前記係止片が形成されていない遮光壁の厚みよりも薄くなるように設定されていることを特徴とする請求項１または２に記載の火災感知器。
【請求項５】
前記発光素子および／または受光素子は前記ラビリンス構造を構成する前記複数の遮光壁の内側に配設され、前記第２暗箱構成部材には前記発光素子および／または受光素子の周囲の少なくとも一部を覆う遮光壁が形成されていることを特徴とする請求項１〜４のいずれかに記載の火災感知器。
【発明の詳細な説明】
【技術分野】
【０００１】
本発明は、火災感知器、特に受光素子を使用した光電式火災感知器（煙感知器）や煙および熱あるいはガスを検出する複合型火災感知器に適用して有効な技術に関する。
【背景技術】
【０００２】
従来、火災感知器として、発光素子が発した光の散乱光を受光素子で受光することによって煙を感知する光電式煙感知器や、サーミスタのような感熱素子あるいはＣＯなどの有害ガスを検知するガスセンサをさらに備え、煙および熱あるいはガスを検出する複合型火災感知器が知られている。
煙感知器または熱煙複合型感知器には、外部から光が入らないようにするラビリンス構造の遮光壁（以下、単にラビリンスと称する）を周囲に有する暗箱内に、発光素子と受光素子を、互いの光軸をずらした状態で収納し、火災発生時に暗箱内に煙が流入すると、発光素子から照射された光が煙によって散乱され、その散乱光を受光素子が感知すると火災発生と判断して警報を発生するように構成されているものがある。
【０００３】
そして、上記暗箱は、発光素子や受光素子と共に火災検出回路を構成する電子部品が実装されるプリント配線基板（回路基板）に結合されている。
ところで、暗箱を備えた従来の煙感知器には、回路基板側にラビリンスを有する暗箱本体（光学台）が設けられ反対側にカバー（蓋）が設けられているもの（例えば特許文献１）と、回路基板側に暗箱基台（蓋）が設けられ反対側にラビリンスを有する暗箱ケースが設けられているもの（例えば特許文献２）とがある。
【先行技術文献】
【特許文献】
【０００４】
【特許文献１】特開平０５−３０３６９７号公報
【特許文献２】特開２０１２−２４２８６７号公報
【発明の概要】
【発明が解決しようとする課題】
【０００５】
ところで、煙感知器の製造ラインにおいては、感知器のカバーを本体ケースに組み付ける前に、感知器を設置時の姿勢すなわち逆さにした状態（感知ヘッドが下向きの状態）で、煙感度試験を実施したいことがある。
しかしながら、従来の煙感知器は、回路基板側にラビリンスを有する暗箱本体が設けられている特許文献１のタイプも、回路基板側に暗箱基台（蓋）が設けられ反対側にラビリンスを有する暗箱ケースが設けられている特許文献２のタイプも、暗箱本体（暗箱ケース）とカバー（蓋）とを結合する手段がないため、感知器を逆さにすると、カバー（蓋）が自重で落下してしまい、上述の煙感度試験を実施できないという課題がある。
【０００６】
そこで、蓋側に先端に爪を有する一対の係止片を設け、暗箱本体（基台）側に係合穴を形成して、係止片の爪と係合穴とを係合させることで暗箱本体（基台）と蓋とを結合することを考えた。しかし、そのような構成を、回路基板側にラビリンスを有する暗箱本体が設けられている特許文献１のタイプに適用すると、係止片の先端が回路基板側に位置することになるため、暗箱を分割する際に係止片の爪を外しにくい構造になってしまう。
【０００７】
また、特許文献１のタイプのものにおいて、暗箱本体の周壁端部側に鉤爪を設けるとともに、蓋側に鉤爪と係合可能な長穴を形成し、蓋を回すことによって暗箱本体（基台）と蓋とを結合したり分離したりできるようにする構造も考えられる。しかし、かかる構造は、蓋が単に円板状のものであればなんら問題ないが、蓋にラビリンスの構成する遮光壁の一部を設けた場合、暗箱本体側の遮光壁との位置関係では蓋を回すことができなくなるので、採用できない、あるいは設計が非常に面倒になるという不具合があることが分かった。
【０００８】
本発明は上記のような課題に着目してなされたもので、その目的とするところは、感知器のカバーを本体ケースから外した状態で感知器を逆さにしても煙感知部としての暗箱を構成するカバー（蓋）が自重で落下しないように暗箱本体（基台）と蓋とを結合することができる上、暗箱本体（基台）と蓋とを容易に結合したり分離したりすることができる火災感知器を提供することにある。
本発明の他の目的は、暗箱の回路基板と反対側の蓋にラビリンスの一部を構成する遮光壁を設けた場合にも、蓋を回すことなく容易に暗箱本体（基台）から外すことができる火災感知器を提供することにある。
【課題を解決するための手段】
【０００９】
上記目的を達成するため本発明は、
本体ケースと該本体ケースの上側を覆うカバー部材とからなる筐体の内部に、遮光壁からなるラビリンス構造を含む検煙領域および該検煙領域へ投光する発光素子と前記検煙領域で散乱された光を受光する受光素子を有する暗箱を備えた感知部と、該感知部からの信号に基づいて火災の発生を検出する電子回路が実装された回路基板と、が収納されてなる火災感知器において、
前記暗箱は、前記回路基板に結合される第１暗箱構成部材と、該第１暗箱構成部材と結合されて外部から前記ラビリンス構造の内側へ直接光が入らないようにする第２暗箱構成部材とを備え、
前記第１暗箱構成部材に、前記ラビリンス構造を構成する複数の遮光壁が設けられ、
前記複数の遮光壁のうち少なくとも１つの遮光壁の先端部に、外向きの爪を有する係止片が形成され、
前記第２暗箱構成部材の前記係止片が形成されている遮光壁に対応する部位に、前記係止片の先端の爪が係合可能な係合穴が形成され、
前記係止片の先端の爪と前記係合穴との係合により、前記第１暗箱構成部材と前記第２暗箱構成部材とが結合されるように構成したものである。
【００１０】
上記のような構成を有する火災感知器によれば、感知器のカバーを本体ケースから外した状態で感知器を逆さにしても煙感知部としての暗箱を構成する部材（暗箱ケース：蓋）が自重で落下しないように第１暗箱構成部材（暗箱基台）と第２暗箱構成部材（暗箱ケース）とを結合することができる。また、ラビリンスを構成する遮光壁を利用して係止手段としての爪を設けるので、新たに係止片を設ける必要がなく、大幅な設計変更やコストアップを招くことがない。さらに、先端に係止片が設けられている遮光壁を外側から内側へ押圧することで、簡単に係止片の爪と係合穴との係合を外して、第１暗箱構成部材としての暗箱基台と第２暗箱構成部材としての暗箱ケースとを分離することができる。
【００１１】
ここで、望ましくは、前記複数の遮光壁のうち互いに対向する２つ遮光壁の先端部に、各々外向きの爪を有する係止片がそれぞれ形成されているようにする。
かかる構成によれば、先端に係止片が設けられている２つの遮光壁を２本の指で挟んで外側から内側へ押圧することによって、簡単に係止片の爪と係合穴との係合を外して、第１暗箱構成部材としての暗箱基台と第２暗箱構成部材としての暗箱ケースとを分離することができるため、暗箱内部の点検や部品の交換作業を短時間に行うことができる。
【００１２】
さらに、望ましくは、前記係止片が形成されている遮光壁の厚みは、前記係止片が形成されていない遮光壁の厚みよりも薄くなるように設定する。
かかる構成によれば、先端に係止片が設けられている遮光壁を比較的小さな力で変形させて、第１暗箱構成部材としての暗箱基台と第２暗箱構成部材としての暗箱ケースとを分離することができる。
【００１３】
また、望ましくは、前記係止片が形成されている遮光壁の側面に高さ方向に沿った凹部が形成され、該凹部の両側にそれぞれリブが形成され、前記凹部の形成箇所の壁の厚みは前記係止片が形成されていない遮光壁の厚みよりも薄くなるように設定する。
かかる構成によれば、係止片が設けられている遮光壁を薄くすることができるため、比較的小さな力で先端に係止片が設けられている遮光壁を変形させることができるとともに、リブによって遮光壁の強度が低下するのを回避し、耐久性を向上させることができる。
【００１４】
また、望ましくは、前記発光素子および／または受光素子は前記ラビリンス構造を構成する前記複数の遮光壁の内側に配設し、前記第２暗箱構成部材には前記発光素子および／または受光素子の周囲の少なくとも一部を覆う遮光壁を形成する。
かかる構成によれば、第２暗箱構成部材（暗箱ケース）を第１暗箱構成部材（暗箱基台）に対して回転できるように構成あるいは設計することが難しいラビリンス構造を適用した場合にも、係止片の爪と係合穴との係脱で第１暗箱構成部材と第２暗箱構成部材とを結合したり分離したりすることができるため、設計が容易になる。また、第２暗箱構成部材（暗箱ケース）に発光素子および／または受光素子の周囲の少なくとも一部を覆う遮光壁を形成しているため、第１暗箱構成部材（暗箱基台）に発光素子および／または受光素子の周囲全体を覆う遮光壁を形成しておく必要がなくなるので、第１暗箱構成部材に対して第２暗箱構成部材を結合する前における第１暗箱構成部材への発光素子や受光素子の組付け作業を容易に行うことができる。
【発明の効果】
【００１５】
本発明によれば、感知器のカバーを本体ケースから外した状態で感知器を逆さにしても煙感知部としての暗箱を構成するカバー（蓋）が自重で落下しないように暗箱本体（基台）と蓋とを結合することができる上、暗箱本体（基台）と蓋とを容易に結合したり分離したりすることができる火災感知器を実現することができる。また、回路基板と反対側の蓋にラビリンスの一部を構成する遮光壁を設けた場合にも、蓋を回すことなく容易に暗箱本体（基台）から外すことができる火災感知器を実現することができるという効果がある。
【図面の簡単な説明】
【００１６】
【図１】本発明に係る火災感知器の一例としての光電式火災感知器の一実施形態を示す分解斜視図である。
【図２】（Ａ）は本体ケースの収容凹部内に回路基板および暗箱基台を収納した状態を斜め上から見た斜視図、（Ｂ）は要部である係止片を設けた遮光壁の拡大斜視図である。
【図３】図２の感知器の暗箱基台に暗箱カバーを被せた状態を、中心を通る鉛直な面で切断して示した中央断面図である。
【発明を実施するための形態】
【００１７】
以下、図面を参照して、本発明を適用した光電式火災感知器（煙感知器）の一実施形態について説明する。
本実施形態の光電式火災感知器（以下、単に感知器と記す）１０は、火災に伴い発生した煙を感知可能な感知器であり、建造物の天井面などに設置されて使用されるように構成されている。なお、以下の説明では、感知器１０を建造物の天井面に設置した状態で上になる側を下側、下になる側を上側とする。
【００１８】
本実施形態の感知器１０は、図１に示すように、感知部を収容するための収容凹部１１Ａを有し建造物の天井面に取り付けるための円筒状の本体ケース１１と、ドーム状をなし前記本体ケース１１の上側全体を覆う感知器カバー１２とを備え、本体ケース１１と感知器カバー１２とにより内部に収容空間を有する筐体が形成される。
また、感知器１０は、前記本体ケース１１の収容凹部１１Ａ内に収容され固定される回路基板１３と、ラビリンス構造の遮光壁４１を有し前記回路基板１３に搭載される暗箱基台１４と、該暗箱基台１４の縁部の内側に係合し載置される円筒状の防虫網１５と、該防虫網１５を挟んで前記暗箱基台１４に係合し暗箱を形成する有底円筒状の暗箱カバー１６とを備え、これらの構成部材が、上記筐体内に収納され本体ケース１１と感知器カバー１２とが結合されることで感知器が構成される。
【００１９】
本体ケース１１は感知器１０の下側筐体壁を構成するもので、本体ケース１１の下面には、予め天井面に設置された取付基台（図示省略）と連結し、当該感知器１０を天井面に固定するための連結金具１７が３個設けられている（図１ではこのうち１個が見えている）。また、本体ケース１１には、収容凹部１１Ａ内に収容された回路基板１３および暗箱基台１４を固定するネジ１８が挿通されるボス部１１ｂが３個設けられている（図１ではこのうち１個が見えている）。
【００２０】
暗箱基台１４には、ＬＥＤ（発光ダイオード）のような発光素子１９Ａを収納する収納部１４ａと、フォトダイオードのような受光素子１９Ｂを収納する収納部１４ｂが設けられるとともに、収納部１４ａ，１４ｂの底壁には、発光素子１９Ａと受光素子１９Ｂのリード端子１９ａと１９ｂが挿通可能な細孔（図示省略）がそれぞれ形成されており、暗箱基台１４の下面より突出した各素子のリード端子の先端が回路基板１３を貫通し、フロー半田付け等によって接続される。
【００２１】
さらに、暗箱基台１４には、回路基板１３側（図では下方）へ向かって突出する２本の係止片（フック）１４ｃが設けられ、これらの係止片１４ｃの先端が回路基板１３に形成されている係合穴１３ｃに係合することで、暗箱基台１４と回路基板１３とが一体化されるように構成されている。回路基板１３は、上面および下面に火災感知のための電子回路を構成する抵抗や容量、ＩＣ（半導体集積回路）などの電子部品が実装されるプリント配線基板により構成され、該基板にはネジ挿通穴１３ａが３箇所形成されており、連結金具１７のネジ穴および本体ケース１１の底壁のボス部１１ｂを貫通して回路基板１３のネジ挿通穴１３ａに挿通されたネジ１８によって本体ケース１１の収容凹部１１Ａ内に固定される（図３参照）。
【００２２】
なお、受光素子１９Ｂは導電性材料で形成された電磁シールドケース２０に収納された状態で収納部１４ｂに挿入されるように構成されている。また、暗箱カバー１６には、暗箱基台１４の収納部１４ａ，１４ｂに対応して、内側の素子を囲むように形成された遮光壁１６ａ，１６ｂが設けられている。
一方、感知器カバー１２には、その中央に、暗箱の上部が突出可能な円形状の開口部１２Ａが形成されるとともに、該開口部１２Ａより突出した暗箱カバー１６の円板状の蓋部１６ｃの縁部に係合されるヘッドカバー２１が設けられ、該ヘッドカバー２１と感知器カバー１２の上壁との間に、上記開口部１２Ａに連通する開口が円周方向に沿って複数個形成され、該開口が外部の煙をケース内部に流入可能にする煙流入口２２として機能するように構成されている。
【００２３】
また、感知器カバー１２の中央の上記開口部１２Ａの縁には、リング状に形成された透明部材からなる光放出部材２３が嵌合されるように構成されている。そして、この光放出部材２３には、下方へ向かって垂下するように形成された一対の棒状の光ガイド部２３ａが結合されており、該光ガイド部２３ａのうち一方の先端（下端）の光入射部（端面）が、回路基板１３上に実装される図示しない動作状態報知用の発光ダイオード（ＬＥＤ）と対向するように構成されている。
【００２４】
次に、図２および図３を用いて、煙感知部としての暗箱を構成する暗箱基台１４と暗箱カバー１６とを結合する構造について説明する。このうち、図２（Ａ）は本体ケース１１の収容凹部１１Ａ内に回路基板１３および暗箱基台１４を収納した状態を斜め上から見た斜視図、図２（Ｂ）は要部である係止片を設けた遮光壁の拡大斜視図、図３は図２の感知器の暗箱基台１４に暗箱カバー１６を被せた状態を、中心を通る鉛直な面で切断して示した中央断面図である。
【００２５】
暗箱基台１４に設けられているラビリンス４０は、図１に示すように、互いに分離した複数の遮光壁４１が円状に並んで配設されることで外形が円筒形をなすように形成されている。また、図２（Ａ）に示すように、ラビリンス４０を構成する各遮光壁４１は、最も外側にあって外壁を構成する外壁部４１ａと半径方向に対して斜めに設けられた遮光壁部４１ｂと折返し壁部４１ｃなどから構成され、隣接する遮光壁の一部（外壁部４１ａと折返し壁部４１ｃ）が半径方向に重なるように配置されることによって、外部光がラビリンス４１の内側へ直接入らないようになっている。
【００２６】
本実施形態の感知器においては、上記のように構成された複数の遮光壁４１のうち、ほぼ１８０°離れ対向する位置にある一対の遮光壁４１Ａと４１Ｂの上端に、外向きの爪を有する係止片４２ａ，４２ｂがそれぞれ形成されている。一方、暗箱カバー１６の蓋部１６ｃの遮光壁４１Ａ，４１Ｂに対応する部位（２箇所）には、図３に示すように、係止片４２ａ，４２ｂの先端が係合可能な係合穴１６ｄが形成されている。そのため、回転方向の位置合わせをした後に、暗箱基台１４に暗箱カバー１６を嵌合させながら押し込むと、係止片４２ａ，４２ｂの先端が内側へ移動するように変形し、先端の爪が係合穴１６ｄに合致すると弾性力で復元して爪が係合穴１６ｄに入って縁に係止されることによって、暗箱基台１４と暗箱カバー１６とが一体化されるように構成されている。
【００２７】
また、上記係止片４２ａが形成されている遮光壁４１Ａの外壁部４１ａの側面には、図２（Ｂ）に示すように、縦方向に沿って凹部４１ｄが形成されることによって、該凹部４１ｄの両側に沿ってリブ４１ｅが設けられた構成となっている。図示しないが、遮光壁４１Ｂも同様である。このように、遮光壁４１Ａ，４１Ｂに凹部４１ｄが形成されることで遮光壁の厚みが薄くなり、これによって、遮光壁４１Ａ，４１Ｂを弾性変形させ易くなるとともに、凹部４１ｄの両側にリブ４１ｅが設けられていることによって、遮光壁４１Ａ，４１Ｂの強度が大きく低下しないように工夫された構造となっている。なお、図３においては、防虫網１５の図示を省略している。
【００２８】
遮光壁４１Ａ，４１Ｂが上記のように構成されているため、図示しない防虫網１５の外側から、図３に矢印Ａ１，Ａ２で示すように、遮光壁４１Ａ，４１Ｂの先端側を内側方向へ押し込むような力を与えながら、他方の手の指で暗箱カバー１６の蓋部１６ｃを挟んで上方へ引っ張ると係止片４２ａ，４２ｂの爪と係合穴１６ｄとの係合が外れ、暗箱カバー１６を暗箱基台１４から分離することができるようになっている。なお、ラビリンスの外側に防虫網１５があったとしても、係合穴１６ｄの位置から係止片４２ａ，４２ｂの位置を把握することができる。
【００２９】
上記とは逆に、先端に爪を有する一対の係止片（４２ａ，４２ｂ）を暗箱カバー１６側に設け、暗箱基台１４側に係合穴を設ける構成も考えられるが、そのような構成にすると、係止片（４２ａ，４２ｂ）の先端の爪が、暗箱基台１４内に入り込むことになるため、暗箱基台１４の上面に形成されている嵌合用のリブ１４ｅが邪魔になって、係合を外す方向の力を作用させるのが困難となる。また、暗箱基台１４の裏面が見えないため、係止片４２ａ，４２ｂの位置も分かりにくいという不具合が生じるのに対し、本実施形態の感知器にはそのような不具合がない。
【００３０】
さらに、本実施形態の感知器においては、図１に示されているように、暗箱基台１４の素子収納部１４ａ，１４ｂに対応して、暗箱カバー１６に発光素子１９Ａと受光素子１９Ｂの側方を覆って遮光する遮光壁１６ａ，１６ｂが設けられているため、暗箱カバー１６を回すことで係合を外して暗箱基台１４と暗箱カバー１６を分離する構造を採用することが困難である。発光素子１９Ａと受光素子１９Ｂの側方を覆う遮光壁１６ａ，１６ｂを、暗箱基台１４側に設けて素子の周囲を完全に覆うようにする構成も考えられるが、そのような構成にすると、素子収納部１４ａ，１４ｂの周囲に空きスペースがなくなって、発光素子１９Ａと受光素子１９Ｂを暗箱基台１４に取り付ける作業が行いにくくなるという不具合が生じるが、本実施形態の感知器はそのような不具合を招くことがないという利点がある。
【００３１】
以上説明したように、本実施形態の火災感知器においては、暗箱カバー１６と暗箱基台１４とを一体化させることができるため、感知器を逆さにしても暗箱カバー１６が自重で落下することがないので、製造ラインにおいては、感知器のカバーを本体ケースに組み付ける前に、感知器を設置時の姿勢にした状態（感知ヘッドが下向きの状態）で、煙感度試験を実施することができる。
また、上記の説明から、上記実施形態における係止片４２ａ，４２ｂと係合穴１６ｄとの係合により暗箱カバー１６と暗箱基台１４とを一体化させる構成は、暗箱基台１４にラビリンスが設けられていて、暗箱カバー１６側にも発光素子１９Ａや受光素子１９Ｂを囲む遮光壁１６ａ，１６ｂが設けられているものに適用すると、発光素子１９Ａと受光素子１９Ｂを取り付ける作業が容易となり、有効な技術であることが分かる。
【００３２】
以上、本発明を実施形態に基づいて説明したが、本発明は上記実施形態のものに限定されるものではない。例えば、上記実施形態では、暗箱基台１４に暗箱カバー１６を結合させるための係止片を２箇所に設けているが、１箇所あるいは３箇所以上に設けても良い。
また、上記実施形態の火災感知器においては、係止片が形成されている遮光壁の側面に高さ方向に沿った凹部４１ｄを形成し、該凹部の両側にそれぞれリブ４１ｅを形成するようにしたものについて説明したが、遮光壁の側面に凹部を形成せずに、単に係止片が形成されている遮光壁の厚みを係止片が形成されていない遮光壁の厚みよりも薄くするように設計しても良い。
【００３３】
また、上記実施形態では、本発明を、発光素子と受光素子を有する煙感知器に適用したものについて説明したが、本発明はそれに限定されず、赤外線を検知する焦電素子、サーミスタのような感熱素子あるいはＣＯなどの有害ガスを検知するガスセンサ等の素子およびこれらの素子からの信号に基づいて火災を検出する感知部としての暗箱を内蔵した火災感知器に広く適用することができる。
【符号の説明】
【００３４】
１０    火災感知器（光電式煙感知器）
１１    本体ケース
１２    感知器カバー
１３    回路基板
１４    暗箱基台
１４ａ  発光素子収納部
１４ｂ  受光素子収納部
１６    暗箱カバー
１６ａ  発光素子の遮光壁
１６ｂ  受光素子の遮光壁
１６ｄ  係止片の係合穴
１９Ａ  発光素子
１９Ｂ  受光素子
４１    遮光壁
４２ａ，４２ｂ  係止片
【図１】
2018088200.tif 000003
【図２】
2018088200.tif 000004
【図３】
2018088200.tif 000005